(57)【要約】【課題】コンビニエンスストア、百貨店や一般商店等の商品陳列用の棚、または美術館や一般家庭における物品保管・展示用の棚における免震装置を提供する。【解決手段】棚１の下面部に複数個間隔を有して配設された支承部材２と、１個または複数個配設されたダンパー部材３とより成る免震装置であって、支承部材２は内側方向に半円状に湾曲した周壁４を備えた外周枠５を棚１の下面部と床面６間に配設して、該外周枠５の空間部内の床面６上に小硬球体７を配置し、且つ該各小硬球体７上に前記外周枠５よりは小さく形成された球体押え鉄板８を載置すると共に、棚１の下面部に外周枠５の下端周縁部５ｂと床面６間にわずかな隙間１２を有して固定して形成される。ダンパー部材３は、１個または複数個の弾性球または弾塑性球２１を、前記取付用鉄板１１の下面に固設されたダンパー被覆板２２内の床面６上に配置して形成される。【選択図】図１
2005124698.tif 000002
【特許請求の範囲】
【請求項１】
棚の下面部に複数個間隔を有して配設された支承部材と、１個または複数個配設されたダンパー部材とより成る商品陳列用の棚、または物品保管・展示用の棚における免震装置であって、
前記支承部材は、内側方向に半円状に湾曲した周壁を備えた外周枠を、棚の下面部と床面間に配設して、該外周枠の円状空間部内の前記床面上に多数の小さい径の小硬球体を配置し、且つ該各小硬球体上に前記外周枠よりは小径に形成された球体押え鉄板を載置すると共に、該球体押え鉄板上に、該球体押え鉄板より小径に形成された介装板を載置し、更に、前記棚の下面部に、前記外周枠の上端周縁部を、該外周枠の下端周縁部と床面間にわずかな隙間を有して固定すると共に、下面外周部に球体取込用傾斜面を周設した球体押え鉄板を、前記各小硬球体が回転移動できる程度の押圧力を備えて前記棚の下面部に一体に連結して形成され、
前記ダンパー部材は、少なくとも１個の弾性球または弾塑性球を、前記棚の下面部に固設されたダンパー被覆板内の床面上に配置して形成され、且つ前記ダンパー被覆板は、前記棚の下面部に連結固定するための円形または多角形状の平面状部を上面に備え、且つ該平面状部の外周縁部に傾斜壁面を垂設して、該傾斜壁面に囲繞された円形または多角形状の逆凹部を備えて形成され、更に、前記傾斜壁面の底周縁部と床面間にわずかな隙間を存して、前記ダンパー被覆板の平面状部を前記棚の下面部に連結固定する一方、前記弾性球または弾塑性球が、ダンパー被覆板の逆凹部内の床面上に、該弾性球または弾塑性球の上・下方部が平面状部の下面および床面に当接縮重して載置されたことを特徴とする商品陳列用の棚、または物品保管・展示用の棚における免震装置。
【請求項２】
小硬球体が、鋼球である請求項１記載の商品陳列用の棚、または物品保管・展示用の棚における免震装置。
【請求項３】
小硬球体が、硬質プラスチック製球である請求項１記載の商品陳列用の棚、または物品保管・展示用の棚における免震装置。
【請求項４】
弾性球または弾塑性球が、ゴム質材料により形成された請求項１記載の商品陳列用の棚、または物品保管・展示用の棚における免震装置。
【請求項５】
弾性球または弾塑性球が、スポンジ質材料により形成された請求項１記載の商品陳列用の棚、または物品保管・展示用の棚における免震装置。
【請求項６】
傾斜壁面が、下方に行くに従って円周を広くした階段状傾斜壁面である請求項１記載の商品陳列用の棚、または物品保管・展示用の棚における免震装置。
【請求項７】
傾斜壁面が、下方に行くに従って円周を広くした直線状傾斜壁面である請求項１記載の商品陳列用の棚、または物品保管・展示用の棚における免震装置。
【発明の詳細な説明】
【技術分野】
【０００１】
本発明は、コンビニエンスストア、百貨店や一般商店等の商品陳列用の棚、または一般家庭における物品保管用の棚や、美術館等の展示用の棚における免震装置に関するものである。
【背景技術】
【０００２】
従来、コンビニエンスストア、百貨店や一般商店等の商品陳列用の棚、または一般家庭における物品保管用の棚や、美術館等の展示用の棚においては、免震装置は設置されていないのがほとんどで、単に棚を壁や天井面に支持棒を介して固定する程度の耐震装置しか設置されていないのが現状である。
【０００３】
そして、最近、つぼや彫刻等の美術品のための免震装置が開発されたことが、２００３年４月１６日付け「日経産業新聞」に掲載された。
【非特許文献１】２００３年４月１６日発行の日経産業新聞  「美術品守るミニ免震装置」の記事
【発明の開示】
【発明が解決しようとする課題】
【０００４】
前記非特許文献１に開示された新聞記事は、金沢大学工学部防災研究室のチームが開発したものである。そして、その構成は、美術品棚の下面４隅に固定された４本の脚の先に付けたボールベアリングが、凹状の曲面に加工された金属皿の上を滑るようにすることで免震を図るようにしたものである。
【０００５】
しかしながら、前記非特許文献１に開示されたものは、脚の先にボールベアリングを回動可能に取付けると共に、凹状の曲面に加工された金属皿が必要であるが、脚の先にボールベアリングを回動可能に取付ける作業、および金属皿を凹状の曲面に加工する作業のいずれの作業も極めて高い精度が要求され、従ってコストが割高となるという問題があった。
【０００６】
本発明は、前記課題を解決すべくなされたもので、ほとんどの部材を市販されている安価な材料を組合わせて製造することにより、低コストで、且つ充分な免震効果を有する商品陳列用の棚、または物品保管・展示用の棚における免震装置を提供しようとするものである。
【課題を解決するための手段】
【０００７】
本発明は、棚の下面部に複数個間隔を有して配設された支承部材と、１個または複数個配設されたダンパー部材とより成る商品陳列用の棚、または物品保管・展示用の棚における免震装置であって、
前記支承部材は、内側方向に半円状に湾曲した周壁を備えた外周枠を、棚の下面部と床面間に配設して、該外周枠の円状空間部内の前記床面上に多数の小さい径の小硬球体を配置し、且つ該各小硬球体上に前記外周枠よりは小径に形成された球体押え鉄板を載置すると共に、該球体押え鉄板上に、該球体押え鉄板より小径に形成された介装板を載置し、更に、前記棚の下面部に、前記外周枠の上端周縁部を、該外周枠の下端周縁部と床面間にわずかな隙間を有して固定すると共に、下面外周部に球体取込用傾斜面を周設した球体押え鉄板を、前記各小硬球体が回転移動できる程度の押圧力を備えて前記棚の下面部に一体に連結して形成され、
前記ダンパー部材は、少なくとも１個の弾性球または弾塑性球を、前記棚の下面部に固設されたダンパー被覆板内の床面上に配置して形成され、且つ前記ダンパー被覆板は、前記棚の下面部に連結固定するための円形または多角形状の平面状部を上面に備え、且つ該平面状部の外周縁部に傾斜壁面を垂設して、該傾斜壁面に囲繞された円形または多角形状の逆凹部を備えて形成され、更に、前記傾斜壁面の底周縁部と床面間にわずかな隙間を存して、前記ダンパー被覆板の平面状部を前記棚の下面部に連結固定する一方、前記弾性球または弾塑性球が、ダンパー被覆板の逆凹部内の床面上に、該弾性球または弾塑性球の上・下方部が平面状部の下面および床面に当接縮重して載置することを最も主要な特徴とする。
【発明の効果】
【０００８】
本発明商品陳列用の棚、または物品保管・展示用の棚における免震装置によれば、地震の発生による床面の水平揺れによって、支承部材を構成する多数の小硬球体も回転移動するが、該小硬球体の回転移動により地震による水平揺れが吸収される。そして、前記小硬球体の回転移動により地震による水平揺れが吸収されるため、該小硬球体に接触して配設されている球体押え鉄板上に連結固定された棚に地震による水平揺れが伝わらないか、あるいは伝わってもほんのわずかで、前記棚がわずかに水平に揺れ、且つわずかに水平に回転する程度である。そして、前記支承部材を構成する小硬球体によって地震による水平揺れの大部分を吸収されて、わずかに水平に揺れ、且つわずかに水平に回転している棚は、ダンパー部材を構成する少なくとも１個の弾性球または弾塑性球が、前記地震の水平揺れに伴って、前記床面上を楕円形となって摺りながら移動し、そして、傾斜壁面に弾性球または弾塑性球が縮重しながら当接して、該傾斜壁面の上部周縁から下部周縁へと徐々に接触の度合いを強めて行くので、回転移動している小硬球体およびわずかに水平に揺れ、且つわずかに水平に回転している棚を急激に停止させることなく、緩やかに徐々に停止させることができる。従って、棚に載置されている商品や美術品等の載置品を転倒させることなく保持し、前記商品や美術品等の載置品の破損を防ぐことができる。更に、本発明免震装置は、ほとんどの部材を市販されている安価な材料を組合わせて製造することができるので、低コストで提供することができる。
【実施例】
【０００９】
本発明の実施例を図面に基づいて詳細に説明する。本発明免震装置は、商品陳列用の棚、または物品保管・展示用の棚１の下面に配設されて、前記棚１の水平揺れの吸収を図るため、滑り、転がり作用をする支承部材２と、棚１の下面に配設されて、支承部材２の停止、前記棚１の水平揺れおよび水平回転止めと、該棚１を原位置へ戻す作用をするダンパー部材３とにより構成される。
【００１０】
前記支承部材２は、図２・図７に示すように、内側方向に半円状に湾曲した周壁４を備えた外周枠５を、棚１の下面部と床面６間に配設される。すなわち、支承部材２は、前記外周枠５の円状空間部内の前記床面６上に、パチンコ球程度の小さい径を有する多数の小硬球体７を載置し、且つ該各小硬球体７上に前記外周枠５よりは小径に形成された球体押え鉄板８を載置すると共に、該球体押え鉄板８上に、該球体押え鉄板８より小径に形成された介装板９を載置し、更に、棚１の下面にスペーサー１０を介して固設された取付用鉄板１１に、前記外周枠５の上端周縁部５ａを、該外周枠５の下端周縁部５ｂと床面６間に、前記小硬球体７の径より小さい２〜３ｍｍ程度の隙間１２を設けて、該小硬球体７の離脱を防止して、ボルト等の連結金具１３で固定すると共に、介装板９および球体押え鉄板８を、前記取付用鉄板１１にボルト等の連結金具１４で一体に連結して形成されている。そして、前記球体押え鉄板８は、前記各小硬球体７を上方より押圧して、該各小硬球体７が回転移動できる程度の押圧力で各小硬球体７上に配設される。
【００１１】
前記支承部材２を構成する外周枠５の高さは小硬球体７の直径の３倍程度の高さを備えて形成され、且つ前記各小硬球体７は床面６上に１段となるように配置され、更に、前記球体押え鉄板８の下面外周部には、後述する小硬球体７の回転移動時に、該支承部材２の移動方向基端部の床面６上から、球体押え鉄板８上に浮き上がった各小硬球体７を、前記支承部材２の移動方向先端部の床面６上に取込み易くするための球体取込用傾斜面１５が周設されている。
【００１２】
前記小硬球７は、特に限定する必要はないが、好ましくは、１個１．５円という価格の安いパチンコ鋼球を使用することが好ましく、棚１の荷重に応じて、１個所に１０個〜１００個〜２００個というように使用する。なお、小硬球体７として、パチンコ鋼球を使用する場合、パチンコ鋼球１個の許容荷重は、棚１の下面が鉄板で、且つ床面６がプラスチックタイルとして、テストした結果、１ｋｇ程度は可能であった。また、更に前記小硬球体７として、前記パチンコ鋼球以外に、ポリプロピレン、ナイロンまたはジュラコン等の硬質プラスチックで成型された硬質プラスチック製球をも使用することができる。
【００１３】
前記構成より成る支承部材２の大きさは、取付ける棚１の大きさ、荷重等により異なる。また、その設置数は、図５・図６に示すように、少なくとも棚１の下面の隅角部付近に、４個それぞれ設置する必要がある。従って、例えば棚１の荷重が４００ｋｇであると、前記したように、小硬球体７として、パチンコ鋼球を使用するとした場合、パチンコ鋼球１個の許容荷重が１ｋｇ程度とすると、１００個のパチンコ鋼球をそれぞれ配置した支承部材２を棚１の下面の隅角部付近に４個設置すればよいことになる。なお、前記支承部材２には、地震による水平揺れで各小硬球体７が回転移動した場合、その回転移動を停止させるストッパー手段を備えていない。そのため、前記各小硬球体７の回転移動を停止させる手段が必要となる。すなわち、前記各小硬球体７の回転移動を停止させるのは、後述するダンパー部材３である。
【００１４】
本発明免震装置を構成するダンパー部材３は、前記支承部材２を構成する各小硬球体７の回転移動で棚１に滑り・転がり作用を及ぼすことにより、地震の水平揺れを吸収して、棚１に水平揺れが伝わらないか、あるいは伝わってもほんのわずかで、前記棚１がわずかに水平に揺れ、且つわずかに水平に回転する程度であるが、地震による水平揺れで、一旦、各小硬球体７が回転移動すると、その回転移動が直ちに停止せず、またわずかに揺れている棚１の水平揺れおよび水平回転も直ちに停止しないので、この水平揺れおよび水平回転を軟かく押えて、棚１の水平揺れおよび水平回転を緩やかに徐々に停止させると共に、各小硬球体７の回転移動を停止させる作用をする。すなわち、ダンパー部材３は、図３・図４・図８・図９・図１１・図１２に示すように、１個または複数個の弾性球または弾塑性球２１（図９・図１２には、２個の弾性球または弾塑性球２１が図示されている）を、前記取付用鉄板１１の下面に固設されたダンパー被覆板２２内の床面６上に配置して形成されている。
【００１５】
前記弾性球は、特に限定する必要はないが、スポンジ質材料により形成することもできるが、比較的弾発力が強く、圧縮されても直ちに復元する性質を有するゴム質材料により形成することが推奨され、また、前記弾塑性球は、特に限定する必要はないが、ゴム質材料により形成することもできるが、比較的弾発力が弱く、圧縮されても直ちに復元することなく、徐々に復元する性質を有するスポンジ質材料により形成することが推奨される。そして、本発明免震装置において、ダンパー部材３として、弾性球を用いるか、あるいは、弾塑性球を用いるかは、取付現場の状況に応じて適宜決定する。
【００１６】
前記ダンパー被覆板２２は、上面に前記取付用鉄板１１に連結固定するための円形状の平面状部２３を備え、且つ該平面状部２３の外周縁部に傾斜壁面２４を垂設して、該傾斜壁面２４に囲繞された逆凹部２５を備えて形成されている。そして、前記傾斜壁面２４の底周縁部２６と床面６間に、前記弾性球または弾塑性球２１が縮重しても、前記底周縁部２６が床面６に接触しない数ｍｍ程度の隙間２７を存して、前記ダンパー被覆板２２の平面状部２３を前記取付用鉄板１１に皿ビス等の取付金具２８を介して連結固定し、更に１個または複数個の弾性球または弾塑性球２１が、ダンパー被覆板２２の逆凹部２５内の床面６上に、該弾性球または弾塑性球２１の上・下方部を平面状部２３の下面および床面６に当接縮重して載置されている。なお、前記平面状部２３は、図においては、円形状に形成されているが、四角形状等の多角形状であってもよい。
【００１７】
前記ダンパー被覆板２２の傾斜壁面２４は、図８〜図１０に示すように階段状に下方に行くに従って円周を広くした階段状傾斜壁面２４ａとしてもよいし、または図１１〜図１３に示すように直線状に下方に行くに従って円周を広くした直線状傾斜壁面２４ｂとしてもよい。
【００１８】
前記構成より成るダンパー部材３は、その使用個数および設置場所は、使用される棚に応じて適宜設定される。図５においては、１個のダンパー部材３が、４個の支承部材２の中央に設置されており、また、図６においては、２個のダンパー部材３が、４個の支承部材２の中央部に間隔を有して設置されている。更に、前記ダンパー部材３を構成する弾性球または弾塑性球２１は、その材質、直径、個数および押しつぶす量によって、それぞれ使用される棚に応じて適宜調整して配置される。
【００１９】
なお、図１においては、前記支承部材２およびダンパー部材３は、棚１の下面にスペーサー１０を介して固設された取付用鉄板１１に固定されているが、前記スペーサー１０は棚１と床面６間の間隔の調整用であって、間隔の調整が必要でない場合は、図１４に示すように、スペーサーを設置することなく、該支承部材２およびダンパー部材３を棚１の下面に直付けで固定してもよい。
【００２０】
前記構成より成る本発明商品陳列用の棚、または物品保管・展示用の棚における免震装置の作用について説明する。本発明商品陳列用の棚、または物品保管・展示用の棚における免震装置を棚１と床面６間に設置すると、地震の発生による床面６の水平揺れによって、支承部材２を構成する小硬球体７も回転移動するが、該小硬球体７の回転移動により地震の水平揺れが吸収される。そして、前記小硬球体７の回転移動により地震による水平揺れが吸収されるため、該小硬球体７上に接触して配設されている球体押え鉄板８上に取付用鉄板１１およびスペーサー１０を介して連結固定された棚１に、地震による水平揺れが伝わらないか、あるいは伝わってもほんのわずかで、該棚１がわずかに水平に揺れ、且つわずかに水平に回転する程度で、地震による棚１の水平揺れおよび水平回転は大きく減少する。
【００２１】
なお、前記支承部材２を構成する多数の小硬球体７は、地震による水平揺れ方向が、図１５の矢印方向であるとした場合、図中右側方向に回転移動し、右側の床面６上に密集してしまい、左側の床面６上は疎らになってしまう。
【００２２】
この状態において、図１６の矢印で示すように、前記右側の床面６上に密集した小硬球体７は、後方から次々と回転移動してくる小硬球体７に押圧されて、前方側に位置する小硬球体７が、外周枠５の半円状に湾曲した周壁４の下側の湾曲周壁４ａに沿って上方へ浮き上がり、上側の湾曲周壁４ｂによって勢いを付けられて、棚１の取付用鉄板１１と球体押え鉄板８間の空隙部２９の球体押え鉄板８上にすくい上げられる。そして、前記球体押え鉄板８上にすくい上げられた多数の小硬球体７は、図１５の矢印で示すように、該球体押え鉄板８上を回転移動して、左側の周壁４と球体押え鉄板８間の環状隙間３０から床面６上へ落下して、前記支承部材２を構成する球体押え鉄板８の下面外周部に、球体取込み用傾斜面１５が周設されているため、図７の矢印で示すように、該球体取込み用傾斜面１５をガイドとして、疎らになった前記球体押え鉄板８下面の左側床面６上に取込まれて小硬球体７を補充できるよう構成されている。
【００２３】
従って、前記各小硬球体７の回転移動時は、図７に示すように、常に小硬球体７が球体押え鉄板８上にすくい上げられた状態で回転移動している。
【００２４】
更に、支承部材２を構成する小硬球体７によって水平揺れを減少された棚１は、ダンパー部材３を構成する１個または複数個の弾性球または弾塑性球２１が、前記棚１の水平揺れに伴って、前記床面６上を、断面楕円形状に押圧縮重されて抵抗力を増して摺りながら移動し、図１０・図１３に示すように、傾斜壁面２４に当接すると弾性球または弾塑性球２１は更に押圧縮重しながら、上部周縁２４′から下部周縁２４"へと徐々に接触の度合いを強めて行くので、回転移動している小硬球体７と、わずかに水平に揺れ、且つわずかに水平に回転している棚１を急激に停止させることなく、緩やかに徐々に停止させ、同時に棚１を原位置に戻す作用をも有するのである。
【図面の簡単な説明】
【００２５】
【図１】本発明商品陳列用の棚、または物品保管・展示用の棚における免震装置を取付けた棚の正面図である。
【図２】本発明商品陳列用の棚、または物品保管・展示用の棚における免震装置を構成する支承部材の底面図である。
【図３】本発明商品陳列用の棚、または物品保管・展示用の棚における免震装置において、１個の弾性球を備えた例を示すダンパー部材の底面図である。
【図４】本発明商品陳列用の棚、または物品保管・展示用の棚における免震装置において、２個の弾性球を備えた例を示すダンパー部材の底面図である。
【図５】本発明商品陳列用の棚、または物品保管・展示用の棚における免震装置において、支承部材を４個、ダンパー部材を１個使用した例を床面を省略して示す底面図である。
【図６】本発明商品陳列用の棚、または物品保管・展示用の棚における免震装置において、支承部材を４個、ダンパー部材を２個使用した例を床面を省略して示す底面図である。
【図７】本発明商品陳列用の棚、または物品保管・展示用の棚における免震装置において、支承部材を棚に取付けた状態を示す縦断面図である。
【図８】本発明商品陳列用の棚、または物品保管・展示用の棚における免震装置において、階段状傾斜壁面を備えたダンパー部材に１個の弾性球を配置して棚に取付けた状態を示す縦断面図である。
【図９】本発明商品陳列用の棚、または物品保管・展示用の棚における免震装置において、階段状傾斜壁面を備えたダンパー部材に２個の弾性球を配置して棚に取付けた状態を示す縦断面図である。
【図１０】本発明商品陳列用の棚、または物品保管・展示用の棚における免震装置において、ダンパー部材を構成する弾性球が階段状傾斜壁面に当接した状態を示す要部の縦断面図である。
【図１１】本発明商品陳列用の棚、または物品保管・展示用の棚における免震装置において、直線状傾斜壁面を備えたダンパー部材に１個の弾性球を配置して棚に取付けた状態を示す縦断面図である。
【図１２】本発明商品陳列用の棚、または物品保管・展示用の棚における免震装置において、直線状傾斜壁面を備えたダンパー部材に２個の弾性球を配置して棚に取付けた状態を示す縦断面図である。
【図１３】本発明商品陳列用の棚、または物品保管・展示用の棚における免震装置において、ダンパー部材を構成する弾性球が直線状傾斜壁面に当接した状態を示す要部の縦断面図である。
【図１４】本発明商品陳列用の棚、または物品保管・展示用の棚における免震装置を他の方法で取付けた棚の正面図である。
【図１５】本発明商品陳列用の棚、または物品保管・展示用の棚における免震装置を構成する支承部材の小硬球体の移動状態を示す横断面図である。
【図１６】本発明商品陳列用の棚、または物品保管・展示用の棚における免震装置を構成する支承部材の小硬球体の移動状態を示す要部の縦断面図である。
【符号の説明】
【００２６】
１  棚
２  支承部材
３  ダンパー部材
４  周壁
５  外周枠
５ａ  上端周縁部
５ｂ  下端周縁部
６  床面
７  小硬球体
８  球体押え鉄板
９  介装板
１０  スペーサー
１１  取付用鉄板
１２  隙間
１５  球体取込用傾斜面
２１  弾性球または弾塑性球
２２  ダンパー被覆板
２３  平面状部
２４  傾斜壁面
２４ａ  階段状傾斜壁面
２４ｂ  直線状傾斜壁面
２５  逆凹部
２６  底周縁部
２７  隙間
【図１】
2005124698.tif 000003
【図２】
2005124698.tif 000004
【図３】
2005124698.tif 000005
【図４】
2005124698.tif 000006
【図５】
2005124698.tif 000007
【図６】
2005124698.tif 000008
【図７】
2005124698.tif 000009
【図８】
2005124698.tif 000010
【図９】
2005124698.tif 000011
【図１０】
2005124698.tif 000012
【図１１】
2005124698.tif 000013
【図１２】
2005124698.tif 000014
【図１３】
2005124698.tif 000015
【図１４】
2005124698.tif 000016
【図１５】
2005124698.tif 000017
【図１６】
2005124698.tif 000018